(57)【要約】【課題】より効果的な吸水性、拡散性及び速乾性を有する吸水シート及びそれを用いたより効果的な滑り防止機能を有する吸水マットを提供する。【解決手段】吸水マット２０は、吸水性、拡散性及び速乾性を有する吸水シート１０を用いて形成されている。吸水シート１０は、中間吸水部材１１、第１の外部吸水部材１２、及び第２の外部吸水部材１３を有している。中間吸水部材１１は、ポリオレフィン樹脂微細多穴シートに、表面張力低下親水加工が施され、吸水性、拡散性、及び速乾性を有するように形成されている。この吸水マット２０は、ナイロンまたはポリエステル製繊維にポリウレタン発泡滑り防止加工が施され、シート状に形成されている滑り防止部材２１を有している。【選択図】図１
0003208197.tif 000002
【実用新案登録請求の範囲】
【請求項１】
表面と裏面を有しシート状に形成された中間吸水部材と、表面と裏面を有しシート状に形成された第１の外部吸水部材と、表面と裏面を有しシート状に形成された第２の外部吸水部材を有し、前記中間吸水部材の表面と前記第１の外部吸水部材の裏面が対向するように貼り付けられ、前記中間吸水部材の裏面と前記第２の外部吸水部材の裏面が対向するように貼り付けられ、前記中間吸水部材、前記第１の外部吸水部材及び前記第２の外部吸水部材が一体的になるように形成された吸水シートであって、
前記中間吸水部材は、ポリオレフィン樹脂微細多穴シートに、表面張力低下親水加工が施され、吸水性、拡散性及び速乾性を有するように形成され、
前記第１の外部吸水部材及び前記第２の外部吸水部材は、強度を有するポリエステル繊維であり、吸水性、拡散性及び速乾性を有するように形成をされていることを特徴とする吸水シート。
【請求項２】
前記中間吸水部材は、０．７ｍｍから０．９ｍｍの厚さを有していることを特徴とする請求項１に記載の吸水シート。
【請求項３】
前記中間吸水部材は複数であり、前記複数の中間吸水部材は、積層状態に形成され、前記第１の表面部材及び前記第２の表面部材と一体的に形成されていることを特徴とする請求項１または請求項２に記載の吸水シート。
【請求項４】
請求項１から請求項３のいずれか１項に記載の吸水シートを用いて形成されている吸水性、拡散性及び速乾性を有する吸水マットであって、
ナイロンまたはポリエステル製繊維にポリウレタン発泡滑り防止加工が施され、シート状に形成されている滑り防止部材を有し、
前記滑り防止部材は、前記吸水シートを覆うように一体的に形成され、濡れた状態であっても濡れていないときと同様な滑り防止機能を有していることを特徴とする吸水マット。
【請求項５】
前記滑り防止部材は、前記吸水シートの外縁を覆う額縁状となるように前記吸水シートに縫製加工されていることを特徴とする請求項４に記載の吸水マット。
【請求項６】
２ｍｍから６ｍｍの厚さで形成されていることを特徴とする請求項４または請求項５に記載の吸水マット。
【考案の詳細な説明】
【技術分野】
【０００１】
本考案は、吸水シート及び吸水マットに関する。
【背景技術】
【０００２】
雨に濡れた靴底の水分を拭い落とすなどの用途でコットンなどの吸水繊維を用いた吸水マット、家庭用風呂の出入り口前に敷くことで体からしたたり落ちる水分を吸水させるために用いられる水分吸水用マットなどが知られている（特許文献参照）。
【先行技術文献】
【特許文献】
【０００３】
【特許文献１】特開２００５−２４５４８８号公報
【特許文献２】特開２００８−２９５６２６号公報
【考案の概要】
【考案が解決しようとする課題】
【０００４】
上記の吸水マットは、必ずしも良好に靴底などに付着した水分、体からしたたり落ちる水分などを吸水できるものとはいえず、また滑り防止の機能も十分なものではないという問題があった。
【０００５】
そこで本考案は、このような課題を解決するためになされたものでより効果的な吸水性、拡散性及び速乾性を有する吸水シート及びそれを用いたより効果的な滑り防止機能を有する吸水マットの提供を目的とする。
【課題を解決するための手段】
【０００６】
上記課題を解決するために、本考案に係る吸水シートは、表面と裏面を有しシート状に形成された中間吸水部材と、表面と裏面を有しシート状に形成された第１の外部吸水部材と、表面と裏面を有しシート状に形成された第２の外部吸水部材を有し、前記中間吸水部材の表面と前記第１の外部吸水部材の裏面が対向するように貼り付けられ、前記中間吸水部材の裏面と前記第２の外部吸水部材の裏面が対向するように貼り付けられ、前記中間吸水部材、前記第１の外部吸水部材及び前記第２の外部吸水部材が一体的になるように形成された吸水シートであって、前記中間吸水部材は、ポリオレフィン樹脂微細多穴シートに、表面張力低下親水加工が施され、吸水性、拡散性及び速乾性を有するように形成され、前記第１の外部吸水部材及び前記第２の外部吸水部材は、強度を有するポリエステル繊維であり、吸水性、拡散性及び速乾性を有するように形成をされていることを特徴とする。
【０００７】
本考案に係る吸水シートの態様について、前記中間吸水部材は、０．７ｍｍから０．９ｍｍの厚さを有していることが好ましい。
【０００８】
本考案に係る吸水シートの態様について、前記中間吸水部材は複数であり、前記複数の中間吸水部材は、積層状態に形成され、前記第１の表面部材及び前記第２の表面部材と一体的に形成されていることが好ましい。
【０００９】
上記課題を解決するために、本考案に係る吸水マットは、上記の吸水シートを用いて形成されている吸水性、拡散性及び速乾性を有する吸水マットであって、ナイロンまたはポリエステル製繊維にポリウレタン発泡滑り防止加工が施され、シート状に形成されている滑り防止部材を有し、前記滑り防止部材は、前記吸水シートを覆うように一体的に形成され、濡れた状態であっても濡れていないときと同様な滑り防止機能を有していることを特徴とする。
【００１０】
本考案に係る吸水マットの態様について、前記滑り防止部材は、前記吸水シートの外縁を覆う額縁状となるように前記吸水シートに縫製加工されていることが好ましい。
【００１１】
本考案に係る吸水マットの態様について、２ｍｍから６ｍｍの厚さで形成されていることが好ましい。
【考案の効果】
【００１２】
本考案によれば、より効果的な吸水性、拡散性及び速乾性を有する吸水シート及びそれを用いたより効果的な滑り防止機能を有する吸水マットを提供することができる。
【図面の簡単な説明】
【００１３】
【図１】実施形態の吸水シート及び吸水マットを示す模式図である。
【図２】吸水マットの一例を示す模式図である。
【考案を実施するための形態】
【００１４】
以下、本考案の吸水シート及び吸水マットの実施形態を、図１及び図２を用いて説明する。
【００１５】
まず、図１（ａ）を用いて実施形態の吸水シート１０について説明する。
【００１６】
図１（ａ）に示すように、実施形態の吸水シート１０は、中間吸水部材１１、第１の外部吸水部材１２、及び第２の外部吸水部材１３を有している。中間吸水部材１１は表面１１ａと裏面１１ｂを有しシート状に形成され、第１の外部吸水部材１２は表面１２ａと裏面１２ｂを有し、及び第２の外部吸水部材１３は表面１３ａと裏面１３ｂを有しシート状に形成されている。
【００１７】
吸水シート１０は、図１(ａ)に示すように中間吸水部材１１の表面１１ａと第１の外部吸水部材１２の裏面１２ｂは対向するように貼り付けられ、また、中間吸水部材１１の裏面１１ｂと第２の外部吸水部材１３の裏面１３ｂが対向するように貼り付けられ、中間吸水部材１１、第１の外部吸水部材１２、及び第２の外部吸水部材１３が、例えば縫製加工により積層状態で一体的になるように形成されている。なお、縫製加工は一例でありこれに限定されない。
【００１８】
中間吸水部材１１は、ポリオレフィン樹脂微細多穴シートに、表面張力低下親水加工が施され、吸水性、拡散性、及び速乾性を有するように形成されている。このような中間吸水部材１１は、吸水された水分が内部に広がるように吸水されることにより、優れた吸水性、拡散性、及び速乾性を有している。
【００１９】
すなわち、中間吸水部材１１は、吸水された水分が局所的に吸水されるのではなく、内部全体に素早く拡散され、そして全体に拡散された水分が速乾されるという特徴を有しており、この優れた吸水拡散速乾性により、例えば、数十秒で表面の水分が付着することなくサラサラ状になるように構成されている。なお、中間吸水部材１１の厚さは、０．７ｍｍから０．９ｍｍであることが望ましいが、これに限定されない。
【００２０】
第１の外部吸水部材１２及び前記第２の外部吸水部材１３は、強度を有するポリエステル繊維であり、吸水性、拡散性及び速乾性を有するように形成をされているものである。すなわち、第１の外部吸水部材１２及び第２の外部吸水部材１３が、図１(ａ)に示すとおり中間吸水部材１１の表面１１ａと裏面１１ｂを覆うように一体的に設けられていることにより、吸水シート１０は、全体としてより大きな強度を有する構成となっている。
【００２１】
また、吸水シート１０は、複数の中間吸水部材１１が、積層状態に形成された構成であってもよく、この複数の中間吸水部材１１は、第１の表面部材１２及び第２の表面部材１３の間に一体的になるように形成されている。このように複数の中間吸水部材１１を有する吸水シート１０は、より水分を吸水できる構成であり、複数の中間吸水部材１１の数量は、使用形態により選択することができる。
【００２２】
次に、図１（ｂ）を用いて実施形態の吸水マット２０について説明する。図１（ｂ）は、吸水性、拡散性及び速乾性を有している上記の吸水シート１０を用いて形成されている吸水マット２０を示している。
【００２３】
図１（ｂ）に示す実施形態の吸水マット２０は、吸水性、拡散性及び速乾性を有する吸水シート１０を用いて形成されている。この吸水マット２０は、ナイロンまたはポリエステル製繊維にポリウレタン発泡滑り防止加工が施され、シート状に形成されている滑り防止部材２１を有している。
【００２４】
滑り防止部材２１は、図１（ｂ）に示すように吸水シート１０を覆うように一体的に形成されている。この滑り防止部材２１は、吸水マット２０が濡れた状態であっても、濡れていないときと同様な滑り防止機能を有するように構成されている。
【００２５】
また、図２に示すとおり滑り防止部材２１は、例えば、吸水シート１０の外縁を覆う略５ｃｍの幅の額縁状となるように縫製加工が施されている。このような構成とすることで、吸水マット２０の全体が濡れているときであっても安定し滑らないようにすることができる。
【００２６】
なお、この例において、滑り防止部材２１は、略５ｃｍの幅の額縁状となるように縫製加工されているがこれに限定されず、また、吸水マット２０は、矩形であるがこれに限定されず、例えば楕円形、円形などであってもよい。また、吸水マット２０の厚さは、簡易に載置できるように２ｍｍから６ｍｍであることが望ましいが、これに限定されない。
【００２７】
このような特徴を有する実施形態の吸水シート１０及び吸水マット２０は、店舗などの入り口マット上に置くことで、雨天時に店内に雨水が持ち込まれないようにすることができ、例えば転倒事故などを防止することができる。また、吸水シート１０及び吸水マット２０は、プールサイドで使用するマット、家庭における風呂用として使用するマットとして用いることができ、さらにサイズや厚さを調整することで、洗浄した調理器具・食器などの水切りマット及び吸水布巾、自動車用水切り用具、洗髪用吸水タオルなどとして用いることができる。なお、吸水シート１０及び吸水マット２０は、汚れた場合に、ネット袋などを用いて洗濯機で洗浄することができる。
【００２８】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２９】
また、吸水シート及び吸水マットの大きさや形状、素材の厚さ、重さなどについては多様な実施形態が可能であり、それらについて本実施形態と異なる形態による実施は、本考案の技術的範囲に含まれる。
【符号の説明】
【００３０】
１０      吸水シート
１１      中間吸水部材
１１ａ    表面
１１ｂ    裏面
１２      第１の外部吸水部材
１２ａ    表面
１２ｂ    裏面
１３      第２の外部吸水部材
１３ａ    表面
１３ｂ    裏面
２０      吸水マット
２１      滑り防止部材
【図１】
0003208197.tif 000003
【図２】
0003208197.tif 000004